(57)【特許請求の範囲】
【請求項１】
便器を洗浄する洗浄水を貯水する洗浄水タンク装置であって、
洗浄水が貯水され、底面に排水口が形成された貯水タンクと、
前記排水口を開閉する弁体とこの弁体と連結し上下方向に延びる管部材とを有する排水弁と、
前記管部材を外側から支持して上下方向の移動をガイドし且つ前記排水弁の動作を制御する制御筒と、
使用者によって操作され、前記貯水タンクに設けられた前記排水弁を所定位置に保持する操作部と、を有し、
前記操作部により前記排水弁が保持される所定位置は、前記排水弁の弁体の上面と前記制御筒とが接触しない位置であることを特徴とする洗浄水タンク装置。
【請求項２】
前記排水弁が前記操作部により保持される前記所定位置から便器洗浄前の初期位置に復帰する際に、前記排水弁は前記所定位置より上方へ移動した後に下方へ移動し前記初期位置に復帰することを特徴とする請求項１記載の洗浄水タンク装置。
【請求項３】
前記排水弁は前記操作部の回転操作により引き上げられ前記排水口を開閉し、前記操作部は、前記操作部の回転角度を初期位置に対して所定角度で保持する規制手段を有し、前記規制手段による前記操作部の保持により前記排水弁を前記所定位置に保持することを特徴とする請求項１又は２記載の洗浄水タンク装置。
【請求項４】
前記規制手段は、前記操作部が初期位置に対して前記所定角度より大きな回転角度の方向に操作された場合のみ、前記規制手段による前記操作部の保持を解除できるように構成されていることを特徴とする請求項３に記載の洗浄水タンク装置。
【発明の詳細な説明】
【技術分野】
【０００１】
本発明は、洗浄水タンク装置に係り、特に、便器を洗浄する洗浄水を貯水する洗浄水タンク装置に関する。
【背景技術】
【０００２】
従来、便器を洗浄する洗浄水を貯水する洗浄水タンク装置として、特許文献１には、貯水タンクの底部に形成された排水口を開閉する排水弁と、洗浄水を貯水すると共にその貯水された洗浄水を所定の小さな流量で排出するよう形成された小穴を備える貯水部を備える制御筒と、この貯水部内の水位の低下に伴って下降するようその貯水部内に設けられたフロートと、を有し、フロートの下降と連動して下降して排水口を閉止するようにした排水装置を備えるものが知られている。
このような排水装置において、寒冷地では、洗浄水タンク装置の凍結を防止する目的で操作ハンドルを開位置に固定し、弁体を制御筒と接触する位置で弁体を保持して排水口を開弁することで、洗浄水タンク装置内の洗浄水を全て排出し、洗浄水タンク装置が凍結することを防いでいる。
【先行技術文献】
【特許文献】
【０００３】
【特許文献１】特開昭６１−７２１４４号公報
【発明の概要】
【発明が解決しようとする課題】
【０００４】
しかしながら、排水装置の排水弁を排水口から引き上げ所定時間放置しておくと、その排水弁と制御筒との隙間に残っている洗浄水が凍結し、操作ハンドルを初期位置に戻したとしても、排水弁と制御筒とが洗浄水の凍結により固着しているために、弁体が排水口から引き上げられた状態で保持され、初期の状態に戻らないという問題がある。
【０００５】
そこで、本発明は、上述した従来技術の問題点を解決したものであり、寒冷地における排水弁の凍結を確実に防止する事ができると共に、便器洗浄前の初期位置に確実に復帰させる事ができる洗浄水タンク装置を提供することを目的としている。
【課題を解決するための手段】
【０００６】
上記の目的を達成するために、本発明は、便器を洗浄する洗浄水を貯水する洗浄水タンク装置であって、洗浄水が貯水され、底面に排水口が形成された貯水タンクと、前記排水口を開閉する弁体とこの弁体と連結し上下方向に延びる管部材とを有する排水弁と、前記管部材を外側から支持して上下方向の移動をガイドし且つ前記排水弁の動作を制御する制御筒と、使用者によって操作され、前記貯水タンクに設けられた前記排水弁を所定位置に保持する操作部と、を有し、前記操作部により前記排水弁が保持される所定位置は、前記排水弁の弁体の上面と前記制御筒とが接触しない位置であることを特徴としている。
このように構成された本発明においては、寒冷地における貯水タンク内の水抜き作業工程で、操作部により排水弁が保持される所定位置は、排水弁の弁体の上面と制御筒とが接触しない位置であるために、排水弁の弁体の上面と制御筒との隙間に残った洗浄水が凍結し、排水弁と制御筒とが固着することがなく、寒冷地における排水弁の凍結を確実に防止することができる。水抜き作業工程から通常の洗浄工程に戻す際に排水弁の上面と制御筒が凍結により固着していないために、排水弁を便器洗浄前の状態に確実に復帰させることができる。
【０００７】
本発明において、好ましくは、前記排水弁が前記操作部により保持される前記所定位置から便器洗浄前の初期位置に復帰する際に、前記排水弁は前記所定位置より上方へ移動した後に下方へ移動し前記初期位置に復帰する。
このように構成された本発明においては、管部材と制御筒との隙間に残った洗浄水が凍結し固着していた場合、排水弁を所定位置より上方へ移動させた後に下方へ移動させ初期位置に復帰させることにより、その凍結による固着を破壊することができ、水抜き作業工程から通常の洗浄工程に戻す際に排水弁を便器洗浄前の状態に、より確実に復帰させることができる。
【０００８】
本発明において、好ましくは、前記排水弁は前記操作部の回転操作により引き上げられ前記排水口を開閉し、前記操作部は、前記操作部の回転角度を初期位置に対して所定角度で保持する規制手段を有し、前記規制手段による前記操作部の保持により前記排水弁を前記所定位置に保持することを特徴とする。
このように構成された本発明においては、操作部に設けられた規制手段で操作部の角度を初期位置に対して所定角度で保持することにより、排水弁を所定位置に保持しているために、より簡単な構造で水抜き作業工程を実行することができる。
【０００９】
本発明において、好ましくは、前記規制手段は、前記操作部が初期位置に対して前記所定角度より大きな回転角度の方向に操作された場合のみ、前記規制手段による前記操作部の保持を解除できるように構成されている。
このように構成された本発明においては、規制手段は、操作部が初期位置に対して所定角度より大きな回転角度の方向に操作された場合のみ、規制手段による操作部の保持を解除できるように構成されているために、必然的に使用者は排水弁を所定位置より上方へ移動させた後に下方へ移動させ初期位置に復帰させることになる。よって、管部材と制御筒との隙間に残った洗浄水が凍結し固着していた場合、その凍結による固着を破壊することができ、水抜き作業工程から通常の洗浄工程に戻す際に排水弁を便器洗浄前の状態により確実に復帰させることができる。
【発明の効果】
【００１０】
本発明の洗浄水タンク装置によれば、寒冷地における排水弁の凍結を確実に防止する事ができると共に、便器洗浄前の初期位置に確実に復帰させる事ができる洗浄水タンク装置を提供することができる。
【図面の簡単な説明】
【００１１】
【図１】本発明の第１実施形態による洗浄水タンク装置が適用された水洗便器の断面図
【図２】本発明の第１実施形態による洗浄水タンク装置の水抜き動作を実行する前の状態（初期位置）を示す正面断面図
【図３】本発明の第１実施形態による洗浄水タンク装置の操作装置（操作部）の分解斜視図の分解斜視図
【図４】本発明の第１実施形態による洗浄水タンク装置の排水弁を保持した状態（操作レバーを約６０°で保持した状態）を示す斜視断面図、及び、一部拡大図
【図５】本発明の第１実施形態による洗浄水タンク装置の排水弁の保持を解除した状態（操作レバーを約９０°に回転させた状態）を示す斜視断面図、及び、一部拡大図
【図６】（ａ）本発明の第１実施形態による水抜き動作を実行する前の状態（初期位置）を示す操作部の断面図、（ｂ）本発明の第１実施形態による水抜き動作移行時の状態（操作レバーを約７５°回転させた状態）を示す操作部の断面図、（ｃ）本発明の第１実施形態による水抜き動作実行中の状態（操作レバーを約６０°回転させた状態）を示す操作部の断面図、（ｄ）は、本発明の第１実施形態による水抜き動作を解除した状態（操作レバーを約９０°回転させた状態）を示す操作部の断面図
【００１２】
次に、添付図面により、本発明の第１実施形態による洗浄水タンク装置を説明する。
先ず、図１により、本発明の第１実施形態による洗浄水タンク装置が適用された水洗便器を説明する。図１は、本発明の第１実施形態による洗浄水タンク装置が適用された水洗便器の断面図である。
【００１３】
図１に示すように、符号１は洗落し式の水洗便器を示し、この便器１は、便器本体２を備え、この便器本体２にはボウル部４と、導水路６と、ボウル部４の下部と連通するトラップ管路８がそれぞれ形成されている。便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００１４】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００１５】
便器本体２の導水路６の上方には、便器本体２に供給する洗浄水を貯水する洗浄水タンク装置１８が設けられている。後述するように、洗浄水タンク装置１８の貯水タンク２２の底部には、便器本体２の導水路６と連通する排水口２２ａが形成され、貯水タンク２２内の洗浄水が導水路６へと排水されるようになっている。
【００１６】
次に、図２により、洗浄水タンク装置１８の概略構成について説明する。図２は、本発明の第１実施形態による洗浄水タンク装置の水抜き動作を実行する前の状態（初期位置）を示す正面断面図である。なお、本実施形態による洗浄水タンク装置は、上述した洗落し式以外の他のタイプの水洗便器（例えば、サイホン式水洗便器など）にも適用可能である。
【００１７】
図２に示すように、洗浄水タンク装置１８は、陶器製の外装タンク２０と、その内方に配置され、洗浄水が貯水される貯水タンク２２と、外装タンク２０に載せられる蓋体２４と、を備えている。
【００１８】
貯水タンク２２は、それを取り囲むように断熱体２６が設けられ、この断熱体２６を介して、所定の係合部材２８により、貯水タンク２２が外装タンク２０に取り付けられる。また、貯水タンク２２の底面には、上述した便器本体の導水路６に連通する排水口２２ａが形成されている。この排水口２２ａの側面に延びる排水口部材２２ｂを所定の係合部材３０で固定することによって、貯水タンク２２が外装タンク２０に取り付けられる。
【００１９】
また、蓋体２４には、蓋体２４に形成された手洗い鉢２４ａに手洗い用の水を吐水する手洗いカラン３２が設けられている。手洗いカラン３２から吐水された手洗い鉢２４ａの水は、手洗い鉢２４ａに形成された吐水口（流入口）２４ｂにより、貯水タンク２２に流入される。
この蓋体２４の下方には、吐水口２４ｂから流入する水を、後述する排水装置７０の制御筒７８の外方に導く導水部材２５が設けられている。
【００２０】
次に、洗浄水タンク装置１８は、洗浄水給水装置３４を備えている。この洗浄水給水装置３４は、従来のものと同様のものであり、外部の水道管などの給水源（図示せず）に接続される給水管３６、給水装置用フロート３８、給水管３６と連通し、貯水タンク２２に洗浄水を吐水する吐水管４０、給水装置用フロート３８にレバー４２を介して連結される給水バルブ４４などを備えている。
【００２１】
本実施形態では、この洗浄水給水装置３４により、排水開始の所定時間後、給水を開始するようにしている。本実施形態では、貯水タンク２２の満水時の止水水位は、図２に示す位置（ＷＬ）で一定になるようにしている。
【００２２】
また、この洗浄水給水装置３４は、手洗いカラン３２に水を供給する手洗い給水管３１を備え、便器への洗浄水の供給開始時（排水開始時）、上述した蓋体２４の手洗いカラン３２に水の供給を開始するようにしている。
【００２３】
次に、洗浄水タンク装置１８は、操作装置４６（操作部）及びこの操作装置４６の操作により作動される排水装置７０を備えている。
【００２４】
まず、操作部である操作装置４６について説明する。
操作装置４６は、スピンドル５０と、このスピンドル５０に接続される操作レバー４８と、を備える。
【００２５】
操作レバー４８は、一方（本実施形態では、手前側）に（９０度）回転させると、後述する大洗浄が開始され、他方（本実施形態では、奥側）に（９０度）回転させると、後述する小洗浄が開始されるように、排水装置７０を作動させる手動式の操作レバーである。また、スピンドル５０の代わりにモータ等を設置して、操作ボタンにより、大洗浄のボタンが押されると、操作レバー４８と同一の一方（手前側）の方向に回転し、小洗浄のボタンが押されると、操作レバー４８と同一の他方（奥側）の方向に回転して、それぞれ、大洗浄或いは小洗浄が開始されるように排水装置７０を作動させるようにしても良い。
【００２６】
これらの操作レバー４８及びスピンドル５０には、ワイヤ部材やユニバーサルジョイントなどにより構成される回転伝達部材５４が連結されている。この回転伝達部材５４の他端側には、その回転に伴って、回転伝達部材５４を中心に揺動する第１の引き上げ部材５６及び第２の引き上げ部材５８が取り付けられ、これらの第１の引き上げ部材５６及び第２の引き上げ部材５８の先端部には、それぞれ、第１玉鎖６０の上端部分及び第２玉鎖６２の上端部分が取り付けられている。
【００２７】
これらの第１の引き上げ部材５６及び第２の引き上げ部材５８は、回転伝達部材５４を一方側（大洗浄時）に回転させると、第１の引き上げ部材５６のみが、その一方側に揺動して第１玉鎖６０のみを引き上げ、一方、回転伝達部材５４を他方側（小洗浄時）に回転させると、第１の引き上げ部材５６及び第２の引き上げ部材５８の両方が、その他方側に揺動して第１玉鎖６０及び第２玉鎖６２の両方を引き上げるような機械的な機構とされている。
【００２８】
さらに、図３により、操作部である操作装置４６について詳しく説明する。
図３は、本発明の第１実施形態による洗浄水タンク装置の操作装置（操作部）の分解斜視図である。操作装置４６（操作部）は、操作レバー４８の外観を形成する操作レバーカバー４８ａと、操作レバー受け部４８ｂと、操作レバー受け部４８ｂとスピンドル５０と連結固定する螺子２０２と、スピンドル５０の回転動作をガイドするスピンドルガイド２０４と、スピンドルガイド２０４の螺子部２０４ｂと嵌合して外装タンク２０の内側から操作装置４６を外装タンク２０に固定するスペーサー２０５及びナット２０６とを備えている。
【００２９】
操作レバー受け部４８ｂとスピンドルガイド２０４との間には、ねじりばね２０３が配置されており、使用者が操作レバー４８を回転させるとこのねじりばね２０３が捩られて復元力を発生し、使用者が操作レバー４８から手を離すと操作レバー４８がねじりばね２０３の復元力により初期の位置に戻るように構成されている。
【００３０】
操作装置４６（操作部）には、操作レバー４８を所定の角度に保持するための押しボタン２００が具備されている。この押しボタン２００の端には鍵形状である凹部２００ａが形成され、中央には鍔部２００ｂが形成され、一方の端は操作レバーカバー４８ａの穴部に挿入されカバー外に突出する押しボタン操作部２００ｃが形成されている。
【００３１】
押しボタン２００の先端である凹部２００ａは、操作レバー受け部４８ｂの穴部４８ｄに挿入され、スピンドルガイド２０４の係止部２０４ａと係合する形状で形成されている。押しボタンの鍔部２００ｂと操作レバー受け部４８ｂの穴部４８ｄとの間には圧縮ばね２０１が配置されており、詳細は後述するように、押しボタン２００の凹部２００ａとスピンドルガイド２０４の係止部２０４ａとの係合（規制手段）を解除すると、押しボタン２００は圧縮ばね２０１の水平方向の復元力により、初期の位置に戻るように構成されている。
【００３２】
本実施形態では、押しボタン２００の凹部２００ａを鍵形状で形成したが、本発明は、この形状に限定されるものではなく、スピンドルガイド２０４の係止部２０４ａに係合することができれば何れの形状でも良い。
【００３３】
次に、図２により、排水装置７０について説明する。
先ず、本実施形態による洗浄水タンク装置の排水装置７０は、弁体７２と管部材であるオーバーフロー管７４とを備える排水弁と、筒体７６と、制御筒７８と、フロート８０と、オーバーフロー管に固定される固定部材８２と、筒体７６に形成された後述する開口部７６ｃを開閉する切替弁８４と、を有する。
【００３４】
弁体７２は、図２に示すように、オーバーフロー管７４の下端部に形成された断面コ字状の弁体保持部７４ａにはめ込まれ、オーバーフロー管７４と共に上下動して、排水口２２ａを開閉する排水弁として機能する。また、オーバーフロー管７４の側面には、その上下方向の中間部に、固定部材８２を保持するための凹部７４ｂが一周にわたって延びるように形成されている。
【００３５】
制御筒７８には、ほぼ円筒状の外側壁７８ａと、オーバーフロー管７４の上下動をガイドする役割を有する円筒状の内側壁７８ｂと、が形成されている。また、図２に示すように、制御筒７８には、これらの側壁７８ａ、７８ｂと共に洗浄水を貯水可能にする中間水平壁７８ｃが形成され、これらの側壁７８ａ、７８ｂ及び中間水平壁７８ｃにより貯水筒（貯水部）７８ｄが構成される。
【００３６】
また、貯水筒７８ｄの外側壁７８ａには、貯水筒７８ｄ内に貯水された洗浄水を所定の流量で流出させるための小穴７８ｅが形成されている。制御筒７８の外側壁７８ａには、上述した貯水筒７８ｄより下方部分に、排水時に、制御筒７８の外方側の洗浄水を排水口２２ａに流入させるための流入口が形成されている。
【００３７】
次に、図２に示すように、上述した貯水筒７８ｄの内方にフロート８０が配置されている。この上方には、所定の機能を有する固定部材８２が、上述したオーバーフロー管７４の凹部７４ｂ内に側方からはめ込まれ、これにより、固定部材８２は、オーバーフロー管７４に対して水平方向に回転できるように取り付けられ、一方、オーバーフロー管７４に対して上下方向には移動出来ないよう固定されるようになっている。
【００３８】
先ず、固定部材８２には、上述した第１の引き上げ部材５６に取り付けられた第１玉鎖６０の下端部分が取り付けられ、排水時に、オーバーフロー管７４を引き上げるために使用される。使用者が操作レバー４８を回転されると、第１玉鎖６０が引き上げられるが、その際に、オーバーフロー管７４の弁体７２は貯水タンク２２内に貯水されている洗浄水のヘッド圧により鉛直下方向に抑えられているため、先ず、固定部材８２がオーバーフロー管７４に対して水平方向に回転し、その後、オーバーフロー管７４が鉛直上方に移動することになる。
このような構成により、オーバーフロー管７４が回転しながら鉛直方向上方に移動することを防ぐことができ、排水装置７０の開弁動作を安定させることができる。
【００３９】
次に、固定部材８２は、満水時には、フロート８０の上昇を抑えるストッパとしての機能を有し、排水時には、後述するように、オーバーフロー管７４及び弁体７２が、フロート８０の下降と連動して下降するよう、オーバーフロー管７４とフロート８０とを接続する機能を有する。固定部材８２は、これらの機能を有するように、フロート８０の上面に十分に当接するような形状及び大きさに形成されている。ここで、フロート８０の浮力は、満水時、弁体７２にかかる水圧によりオーバーフロー管７４及び弁体７２を上昇させないような浮力に設定され、排水時には、オーバーフロー管７４及び弁体７２にかかる下方向きの力よりやや大きい浮力に設定されている。なお、フロート８０とオーバーフロー管７４とを互いに固定して、常時接続するようにしても良い。
【００４０】
弁体７２は、常時は、貯水タンク２２の排水口２２ａを閉鎖しており、第１の玉鎖６０が引き上げられると、排水口２２ａを開放する。また、筒体７６の側面には開口部７６ｃが形成され、この開口部７６ｃには切替弁８４が取り付けられている。切替弁８４は、常時は筒体７６の開口部７６ｃを開放しており、第２の玉鎖６２が引き上げられることで筒体７６の開口部７６ｃを閉鎖する。
このような構成により、第１及び第２の玉鎖６０、６２が引き上げられた場合には、貯水タンク２２内の筒体７６の上縁よりも上方の部分と、筒体７６の内側の部分の洗浄水が便器本体２０へと供給される（小洗浄）。また、第１の玉鎖６０のみが引き上げられた場合には、貯水タンク２２内内の筒体７６の上縁よりも上方と、筒体７６の内部と、筒体７６の外部の洗浄水が便器本体２へと供給される（大洗浄）。
【００４１】
次に、図２、図４、図５により、本発明の第１実施形態による洗浄水タンク装置の寒冷地における水抜き動作を説明する。
図２は、本発明の第１実施形態による洗浄水タンク装置の水抜き動作を実行する前の状態（初期位置）を示す正面断面図、図４は、本発明の第１実施形態による洗浄水タンク装置の排水弁を保持した状態（操作レバーを約６０°で保持した状態）を示す斜視断面図、及び、一部拡大図、図５は、本発明の第１実施形態による洗浄水タンク装置の排水弁の保持を解除した状態（操作レバーを約９０°に回転させた状態）を示す斜視断面図、及び、一部拡大図である。
【００４２】
寒冷地において、便器を一定期間使用しない場合、洗浄水タンク装置内に貯水された洗浄水が凍結する恐れがあるために、使用者は、凍結防止のため、貯水タンク２２内の洗浄水をタンク外へ全て排出し空にする水抜き作業を行う。その水抜き作業工程の実施方法について下述する。
まず、使用者が水抜き作業を行う際には、給水管３６と便器外部で接続された水抜き栓（図示せず）を閉止することで、給水管３６及び洗浄水給水装置３４内の洗浄水を、不凍帯に配置されている上流管（図示せず）の方へ流して、給水管３６及び洗浄水給水装置３４内の水抜きを行う。
【００４３】
次に、貯水タンク２２内の洗浄水を抜く為に、押しボタン２００を押しながら操作レバー４８を、大洗浄側（本実施形態では、手前側）に約７５度に回転させる。それにより、第１の玉鎖６０のみが引き上げられ、弁体７２は、貯水タンク２２の排水口２２ａを開放する。その後、押しボタン２００を押しながら操作レバー４８を初期位置の方向へ戻すと、押しボタン２００の凹部２００ａとスピンドルガイド２０４の係止部２０４ａとが係合し、操作レバー４８は、初期位置（垂直方向）に対して約６０度傾いた位置で保持される（図４）。一方、タンク内では、第１の玉鎖６０が引き上げられ、弁体７２は貯水タンク２２の排水口２２ａを開放する状態で保持されている（図４）。これにより、貯水タンク２２内の洗浄水は、貯水タンク２２の排水口２２ａから便器本体２のボウル部４、排水トラップ管路８へと排水され、貯水タンク２２外へ全て排出することでき、水抜き作業が完了する。
【００４４】
また、保持されている弁体７２の位置は、貯水タンク２２の排水口２２ａのシート面から約５ｍｍ上方で、制御筒７８の貯水筒７８ｄの底壁である中間水平壁７８ｄから約４０ｍｍ下方の位置に保持されているために、弁体７２の上面と制御筒７８の中間水平壁７８ｄとが離れているために、万が一、弁体７２の上面と制御筒７８の中間水平壁７８ｄとの間に洗浄水が残っていたとしても、弁体７２と制御筒７８とが残水の凍結により固着することがない。
【００４５】
上述の本実施形態では、弁体７２が保持される所定位置を制御筒７２の貯水筒７８ｄの底壁である中間水平壁７８ｄから約４０ｍｍ下方の位置としたが、本発明はこれに限定されるものではなく、万が一、弁体７２の上面と制御筒７８の中間水平壁７８ｄとの隙間に洗浄水が残っていたとしても、弁体７２と制御筒７８とが残水の凍結により固着することがない位置であれば何れでもよい。
【００４６】
次に、水抜き作業工程の状態（図４）から、通常の洗浄工程前の状態（図２）に復帰させる方法について説明する。
まず、操作レバー４８が約６０°傾いて保持されている状態では、押しボタン２００の凹部２００ａとスピンドルガイド２０４の係止部２０４ａとが係合しているため、操作レバー４８は初期位置へ戻す方向へ回転しないように規制されている（規制手段）。それゆえ、使用者は、操作レバー４８を、垂直方向（初期位置）に対して約６０°傾いた状態から、大洗浄側（本実施形態では、手前側）に回転させることになる。例えば、操作レバー４８を垂直方向（初期位置）に対して約９０°にまで回転させると（図５）、押しボタン２００の凹部２００ａとスピンドルガイド２０４の係止部２０４ａとが係合、つまり規制手段が解除される。その後、使用者は、操作レバー４８を離し、操作レバー受け部４８ｂとスピンドルガイド２０４との間のねじりばね２０３の復元力により、操作レバー４８は初期位置に戻る（図２）。
【００４７】
タンク内では、操作レバー４８を約９０°にまで回転させた場合、第１の玉鎖６０及びオーバーフロー管７４と共に、弁体７２が排水口２２ａのシート面から約３０ｍｍ上方に引き上げられ（図５）、その後、使用者が操作レバー４８を離すことで、第１の玉鎖６０及びオーバーフロー管７４及び弁体７２は自重により、弁体７２が貯水タンク２２の排水口２２ａを閉止した状態に戻る（図２）。
【００４８】
このように、オーバーフロー管７４及び弁体７２が保持される所定位置から便器洗浄前の初期位置に復帰する際に、上方へ移動した後に下方へ移動することで、オーバーフロー管７４と制御筒７２のガイド部分との隙間に残った洗浄水が凍結し固着していたとしても、オーバーフロー管７４及び弁体７２を所定位置より上方へ移動させた後に下方へ移動させ初期位置に復帰することにより、その凍結による固着を破壊することができる。よって、水抜き工程から通常の洗浄工程に戻す際に排水弁を便器洗浄前の状態に確実に復帰させることができる。
【００４９】
次に、図６（ａ）〜（ｄ）により、本発明の第１実施形態による水抜き作業工程における操作装置（操作部）の詳しい動作を説明する。
図６（ａ）は、本発明の第１実施形態による水抜き動作を実行する前の状態（初期位置）を示す操作部の断面図である。図６（ｂ）は、本発明の第１実施形態による水抜き動作移行時の状態（操作レバーを約７５°回転させた状態）を示す操作部の断面図である。図６（ｃ）は、本発明の第１実施形態による水抜き動作を実行中の状態（操作レバーを約６０°回転させた状態）を示す操作部の断面図である。図６（ｄ）は、本発明の第１実施形態による水抜き動作を解除した状態（操作レバーを約９０°回転させた状態）を示す操作部の断面図である。
【００５０】
水抜き作業をする場合、先ず、使用者は、操作レバーカバー４８ａの外側へ突出している押しボタン操作部２００ｃを左側水平方向へ押しながら、操作レバー４８を初期位置から大洗浄側（本実施形態では、手前側）に約７５°に回転させる。回転中は使用者が押しボタン２００に左方向の力をかけている為に、押しボタン２００の凹部２００ａの左端がスピンドルガイド２０４の第一面部２０４ｃを滑りながら移動し、その後、第一表面２０４ｃより左側に一段落ち込んでいる第二面部２０４ｄに移動する（図６（ｂ））。
【００５１】
その後、使用者は、押しボタン２００のボタン操作部２００ｃを押しながら操作レバー４８を初期位置の方向へ戻す。操作レバー４８が初期位置に対して約６０°の位置までに戻ると、押しボタン２００の凹部２００ａとスピンドルガイド２０４の係止部２０４ａとが係合し、使用者が操作レバー４８から手を放しても、その係合により操作レバー４８が約６０°傾いた状態で保持される。この際、圧縮ばね２０１が圧縮されており、その復元力により押しボタン２００の凹部２００ａとスピンドルガイド２０４の係止部２０４ａとの係合がより強固な状態で保たれている（図６（ｃ））。
【００５２】
便器洗浄を行うことができる通常状態へ戻す際には、使用者は、操作レバー４８を、初期位置に対して約６０°の位置から、大洗浄側（本実施形態では、手前側）に回転させる。この際に、操作レバー４８を初期位置の方向へ回転させようとしたとしても、押しボタン２００の凹部２００ａとスピンドルガイド２０４の係止部２０４ａとが係合しているため、操作レバー４８は回転することが出来ない様に規制されている（規制手段）。操作レバー４８が、大洗浄側（本実施形態では、手前側）に回転すると、押しボタン２００の凹部２００ａとスピンドルガイド２０４の係止部２０４ａとの係合が解除され（図６（ｄ））、押しボタン２００は、圧縮されていた圧縮ばね２０１の復元力により初期位置に自然に戻る。
【００５３】
その後、使用者は、操作レバー４８から手を離し、操作レバー受け部４８ｂとスピンドルガイド２０４との間のねじりばね２０３の復元力により、操作レバー４８は初期位置の位置に戻る（図６（ａ））。
上述の本実施形態の各状態における操作レバー４８の所定角度は適時変更することができ、本発明はこれに限定されるものではない。
【００５４】
上述の本実施形態では、便器を洗浄する洗浄水を貯水する洗浄水タンク装置であって、洗浄水が貯水され、底面に排水口が形成された貯水タンクと、排水口を開閉する弁体７２とこの弁体と連結し上下方向に延びる管部材７４とを有する排水弁と、管部材７４を外側から支持して上下方向の移動をガイドし且つ排水弁の動作を制御する制御筒７８と、洗浄水タンクに固定され排水弁を所定位置に保持する操作部４６と、を有し、操作部４６により排水弁が保持される所定位置は、排水弁の弁体７２の上面と制御筒７８とが接触しない位置であることを特徴としている。このように構成された本発明においては、寒冷地における貯水タンク内の水抜き作業工程で、操作部により排水弁が保持される所定位置は、排水弁の弁体７２の上面と制御筒７８とが接触しない位置であるために、排水弁の弁体の上面７２と制御筒７８との隙間に残った洗浄水が凍結し、排水弁と制御筒とが固着することがなく、寒冷地における排水弁の凍結を確実に防止することができる。水抜き作業工程から通常の洗浄工程に戻す際に排水弁の上面と制御筒が凍結により固着していないために、排水弁を便器洗浄前の状態に確実に復帰させることができる。
【００５５】
また、好ましくは、排水弁が操作部４６により保持される所定位置から便器洗浄前の初期位置に復帰する際に、排水弁は所定位置より上方へ移動した後に下方へ移動し初期位置に復帰する。このように構成された本実施形態においては、管部材７４と制御筒７８との隙間に残った洗浄水が凍結し固着していた場合、排水弁を所定位置より上方へ移動させた後に下方へ移動させ初期位置に復帰させることにより、その凍結による固着を破壊することができ、水抜き作業工程から通常の洗浄工程に戻す際に排水弁を便器洗浄前の状態により確実に復帰させることができる。
【００５６】
さらに、好ましくは、好ましくは、排水弁は操作部の回転操作により引き上げられ排水口を開閉し、操作部４６は、操作部４６の回転角度を初期位置に対して所定角度で保持する規制手段を有し、規制手段による操作部４６の保持により排水弁を所定位置に保持することを特徴とする。このように構成された本発明においては、操作部に設けられた規制手段で操作部の角度を初期位置に対して所定角度で保持することにより、排水弁を所定位置に保持しているために、より簡単な構造で水抜き作業工程を実行することができる。
【００５７】
また、好ましくは、規制手段は、操作部４６が初期位置に対して前記所定角度より大きな回転角度の方向に操作された場合のみ、規制手段による操作部４６の保持を解除できるように構成されている。このように構成された本発明においては、規制手段は、操作部が初期位置に対して所定角度より大きな回転角度の方向に操作された場合のみ、規制手段による操作部４６の保持を解除できるように構成されているために、必然的に使用者は排水弁を所定位置より上方へ移動させた後に下方へ移動させ初期位置に復帰させることになる。よって、管部材と制御筒との隙間に残った洗浄水が凍結し固着していた場合、その凍結による固着を破壊することができ、水抜き作業工程から通常の洗浄工程に戻す際に排水弁を便器洗浄前の状態により確実に復帰させることができる。
【符号の説明】
【００５８】
１  洗落し式水洗便器
６  導水路
２０  外装タンク
２２  貯水タンク
２２ａ  排水口
２４  蓋体
３４  洗浄水給水装置
４６  操作装置（操作部）
４８  操作レバー
４８ａ  操作レバーカバー
４８ｂ  操作レバー受け部
４８ｄ  穴部
５０  スピンドル
５４  回転伝達部材
５６  第１の引き上げ部材
５８  第２の引き上げ部材
６０  第１玉鎖
６２  第２玉鎖
７０  排水装置
７２  弁体
７４  オーバーフロー管
７４ａ  弁体保持部
７４ｂ  固定部材保持用凹部
７６  筒体
７６ｃ  筒体の開口部
７８  制御筒
７８ｄ  貯水筒
７８ｅ  小穴、流出口
８０  フロート
８２  固定部材
８４  切替弁
２００  押しボタン
２００ａ  押しボタン凹部
２００ｂ  押しボタン鍔部
２００ｃ  押しボタン操作部
２０１  圧縮ばね
２０２  螺子
２０３  ねじりばね
２０４  スピンドルガイド
２０４ａ  スピンドルガイドの係止部
２０４ｂ  スピンドルガイドの螺子部
２０５  スペーサー
２０６  ナット
【図１】
0005622174.tif 000002
【図２】
0005622174.tif 000003
【図３】
0005622174.tif 000004
【図４】
0005622174.tif 000005
【図５】
0005622174.tif 000006
【図６】
0005622174.tif 000007